(57)【要約】      （修正有）【課題】動物の肩から背中にかけての部分を確実に覆い、着用させたときに確実に傷を保護できる動物用衣服を提供する。【解決手段】首から上を通して露出させるネック部１と、前足を通す左右の前開口と後ろ足を通す左右の後開口が形成されて胴を覆う胴巻部とを備え、胴巻部は、左後ろ身頃４と右後ろ身頃５とが、ネック部１の後部と左右の後開口寄りの部分とにおいて、重なる状態で胴の背面部を覆う。このため、動物の肩から背中にかけての部分をフィットさせることで、着用させたときに動物に与える違和感を低減できる。【選択図】図７
2020078295.tif 000002
【特許請求の範囲】
【請求項１】
首から上を通して露出させるネック部と、前足を通す左右の前開口と後ろ足を通す左右の後開口が形成されて胴を覆う胴巻部とを備え、
上記胴巻部は、左後ろ身頃と右後ろ身頃とが、上記ネック部の後部と左右の後開口寄りの部分とにおいて、重なる状態で胴の背面部を覆う
ことを特徴とする動物用衣服。
【請求項２】
上記左後ろ身頃と右後ろ身頃は、左右の後開口寄りの部分に配置された面ファスナーで着脱可能に接合される
請求項１記載の動物用衣服。
【請求項３】
上記左後ろ身頃は、ネック部の後部から面ファスナーにかけての右端縁が、左側に湾曲する弧状に形成され、
上記右後ろ身頃は、ネック部の後部から面ファスナーにかけての左端縁が、右側に湾曲する弧状に形成されている
請求項２記載の動物用衣服。
【請求項４】
上記左後ろ身頃と右後ろ身頃を、上記面ファスナーで着脱可能に接合して重ねた状態で、排泄物を通過させる排泄開口が形成される
請求項２または３記載の動物用衣服。  
【発明の詳細な説明】
【技術分野】
【０００１】
本発明は、たとえば手術後のペットに着用させる術後服として用いることができる動物用衣服に関するものである。
【背景技術】
【０００２】
近年、犬猫などのペット動物に衣服を着せることが一般化している。とくに、避妊手術などの開腹手術を施したあとには、傷口を速やかに回復させるために術後服を着せることが好ましい。
【０００３】
このようなペット用衣服に関する先行技術文献として、本出願人は、下記の特許文献１および２を把握している。
【０００４】
〔特許文献１の開示〕
上記特許文献１は、ペット等動物用衣服に関するものであり、つぎの記載がある。
［要約］［解決手段］
一枚仕立てであり、首の曲面に合わせた円弧状に幅のある帯を備えた首元から、弧状に広がる形態で胸部及び腹部から背中を覆い、首後部及び背中側部分での結着具を備えたペット等動物用衣服の型紙であって、前記型紙を使用して柔軟性がある繊維織物、生地を裁断し加工することで作成することができるペット等動物用衣服である。この型紙の形状は一枚の布のみで展開しているため、頭や足をくぐらせることなく首後部と背中側部で固定することができる。
【０００５】
つまり、上記特許文献１に記載されたペット等動物用衣服は、円弧状に幅のある帯によって首周りを覆う。また、上記ペット等動物用衣服は、上記帯につながる弧状の部分で胸部と腹部および腹部から背中を覆う。上記帯は首後部で結着し、上記弧状の部分は背中側部分で結着する。
【０００６】
〔特許文献２の開示〕
上記特許文献２は、環境汚染防止用四足歩行動物用衣服に関するものであり、つぎの記載がある。
［００３３］
背開口部６を持つ首掛け式オーバーオール衣服２は、図１及び図２に示すように、首固定用面ファスナー９を有する首固定バンド部８と、胸当てダーツ１１により弛みを無くした胸当て部１０から繋がる右側面前身ごろ１５Ａ左側面前身ごろ１５Ｂ、小型吸水体７を装着するための分割した前身ごろ１６と腰固定用面ファスナー１３を有する右側面後ろ身ごろ１４Ａ左側面後ろ身ごろ１４Ｂの各身ごろの縫合により形成される腰被覆部１２及びズボン部１７で構成され、臀部開口部１９の近接に形成される便回収袋２１を装着するためのスリット部２０による便回収構造により、排尿・排便による環境汚染を防止している。
【０００７】
つまり、上記特許文献２に記載された首掛け式オーバーオール衣服２は、首固定バンド部８によって首周りを覆う。また、首掛け式オーバーオール衣服２は、腰被覆部１２により腰を被覆する。上記腰被覆部１２は、上記首固定バンド部８と胸当て部１０でつながる右側面前身ごろ１５Ａ左側面前身ごろ１５Ｂ、右側面後ろ身ごろ１４Ａ左側面後ろ身ごろ１４Ｂにより形成される。上記首固定バンド部８は首固定用面ファスナー９によって首後部で結着する。上記右側面後ろ身ごろ１４Ａと左側面後ろ身ごろ１４Ｂは、腰固定用面ファスナー１３によって背中側部分で結着する。
【先行技術文献】
【特許文献】
【０００８】
【特許文献１】実用新案登録第３１９７９１９号公報
【特許文献２】特開２００８−０１１７８０号公報
【発明の開示】
【発明が解決しようとする課題】
【０００９】
上記特許文献１のペット等動物用衣服は、動物の首周りを円弧状に幅のある帯によって覆い、上記帯につながる弧状の部分で動物の胸部と腹部および腹部から背中を覆う。したがって、動物の肩から背中にかけての部分が露出し、下半身も露出している。パンツの部分だけが脱げてしまうことが避けられない。このため、手術後や傷保護のために着用させる場合、露出した部分に傷があると保護の効果が得られない。
【００１０】
上記特許文献２の首掛け式オーバーオール衣服２は、動物の首周りを首固定バンド部８によって覆い、上記胸当て部１０で胸部を覆い、上記腰被覆部１２で腹部および腹部から背中にかけた部分を覆う。したがって、動物の肩から背中にかけての部分が露出している。パンツの部分だけが脱げてしまうことが避けられない。このため、手術後や傷保護のために着用させる場合、露出した部分に傷があると保護の効果が得られない。
【００１１】
本発明は、上記のような事情に鑑み、つぎの目的を持ってなされたものである。
動物の肩から背中にかけての部分をフィットさせることで、着用させたときに動物に与える違和感を低減できる。
【課題を解決するための手段】
【００１２】
上記目的を達成するため、本発明の動物用衣服は下記の構成をとる。
【００１３】
請求項１記載の動物用衣服はつぎの構成を採用した。
首から上を通して露出させるネック部と、前足を通す左右の前開口と後ろ足を通す左右の後開口が形成されて胴を覆う胴巻部とを備え、
上記胴巻部は、左後ろ身頃と右後ろ身頃とが、上記ネック部の後部と左右の後開口寄りの部分とにおいて、重なる状態で胴の背面部を覆う。
【００１４】
請求項２記載の動物用衣服は、請求項１記載の構成に加えてつぎの構成を採用した。
上記左後ろ身頃と右後ろ身頃は、左右の後開口寄りの部分に配置された面ファスナーで着脱可能に接合される。
【００１５】
請求項３記載の動物用衣服は、請求項２記載の構成に加えてつぎの構成を採用した。
上記左後ろ身頃は、ネック部の後部から面ファスナーにかけての右端縁が、左側に湾曲する弧状に形成され、
上記右後ろ身頃は、ネック部の後部から面ファスナーにかけての左端縁が、右側に湾曲する弧状に形成されている。
【００１６】
請求項４記載の動物用衣服は、請求項２または３記載の構成に加えてつぎの構成を採用した。
上記左後ろ身頃と右後ろ身頃を、上記面ファスナーで着脱可能に接合して重ねた状態で、排泄物を通過させる排泄開口が形成される。
【発明の効果】
【００１７】
請求項１記載の動物用衣服は、上記胴巻部は、左後ろ身頃と右後ろ身頃とが、上記ネック部の後部と左右の後開口寄りの部分とにおいて、重なる状態で胴の背面部を覆う。
このように、上記ネック部の後部において左後ろ身頃と右後ろ身頃とが重なるため、動物の肩から背中にかけての部分がフィットし、着用させたときに動物に与える違和感を低減できる。このため、着用を気持ち悪がって脱いでしまうことが少なくなる。また、動物の肩から背中にかけた部分でネック部とパンツの部分がつながっているため、パンツの部分だけが脱げてしまうことがなくなる。したがって、確実に傷を保護できる。また、着用させる動物の体格に多少の大きい小さいがあったときに、ある程度のサイズを許容しながら、できるだけ身体の露出部を少なくすることができる。犬種による体格差があっても、着用時のフィット感がよい。
【００１８】
請求項２記載の動物用衣服は、上記左後ろ身頃と右後ろ身頃は、左右の後開口寄りの部分に配置された面ファスナーで着脱可能に接合される。
このため、左後ろ身頃と右後ろ身頃は、左右の後開口寄りの部分で確実に胴に巻きついて安定する。しかも、上記面ファスナーとネック部の間は、左後ろ身頃と右後ろ身頃が重なるだけで自由度を確保できる。このため、着用させる動物に対してサイズに多少の大きい小さいがあったとしても、上記自由度のある部分がそれを吸収する。つまり、多少のサイズ違いがあってもストレスなく着用させることができる。
【００１９】
請求項３記載の動物用衣服は、上記左後ろ身頃は、ネック部の後部から面ファスナーにかけての右端縁が、左側に湾曲する弧状に形成されている。また、上記右後ろ身頃は、ネック部の後部から面ファスナーにかけての左端縁が、右側に湾曲する弧状に形成されている。
このため、着用させる動物の体格に多少の大きい小さいがあり、上記面ファスナーでサイズを調節したときに、左後ろ身頃の右端縁と右後ろ身頃の左端縁が浮き上がらず、フィットする。つまり、多少のサイズ違いがあってもストレスなく着用させることができる。
【００２０】
請求項４記載の動物用衣服は、上記左後ろ身頃と右後ろ身頃を、上記面ファスナーで着脱可能に接合して重ねた状態で、排泄物を通過させる排泄開口が形成される。
このため、この動物用衣服を着用させたままで動物に排泄させることができる。特に、左後ろ身頃と右後ろ身頃が、排泄開口に近い部分で確実に胴に巻きついて安定するため、排泄の際に排泄開口の近くが汚染しにくい。
【図面の簡単な説明】
【００２１】
【図１】第１実施形態の動物用衣服を示す正面図である。
【図２】上記第１実施形態の左身頃から見た側面図である。
【図３】上記第１実施形態の右身頃から見た側面図である。
【図４】上記第１実施形態の背面図である。
【図５】上記第１実施形態を上から見た図である。
【図６】上記第１実施形態を下から見た図である。
【図７】上記第１実施形態の使用状態を示す図である。
【図８】上記使用状態で面ファスナーを開いた状態を示す図である。
【発明を実施するための形態】
【００２２】
つぎに、本発明を実施するための形態を説明する。
【００２３】
〔第１実施形態〕
図１〜図８は、本発明の動物用衣服の第１実施形態を示す。
図１は正面図、図２は左身頃から見た側面図、図３は右身頃から見た側面図、図４は背面図、図５は上から見た図、図６は下から見た図である。図７は使用状態を示し、図８は面ファスナーを開いた状態である。
【００２４】
この動物用衣服は、首から上を通して露出させるネック部１と、胴を覆う胴巻部２とを備えている。
【００２５】
上記ネック部１は、この例では伸縮性を持たせたハイネックの丸首状に形成されている。
【００２６】
上記胴巻部２は、動物の腹部側を覆う前身頃３と、背中側を覆う左後ろ身頃４および右後ろ身頃５とが縫合されて形成されている。
上記胴巻部２には、前足を通す左右の前開口６ａ，６ｂと，後ろ足を通す左右の後開口７ａ，７ｂが形成されている。左の前開口６ａと左の後開口７ａは、左後ろ身頃４と前身頃３の境界部分に形成されている。右の前開口６ｂと右の後開口７ｂは、右後ろ身頃５と前身頃３の境界部分に形成されている。上記前開口６ａ，６ｂと後開口７ａ，７ｂにはそれぞれ、開口周縁に縁取りが設けられている。
【００２７】
この例では、左右の前開口６ａ，６ｂと左右の後開口７ａ，７ｂを縁取りで仕上げたが、これに限定するものではない。例えば、左右の前開口６ａ，６ｂと左右の後開口７ａ，７ｂには、それぞれゴム紐を縫いこんで前足後足に対するフィット性を向上させることもできる。また、左右の前開口６ａ，６ｂと左右の後開口７ａ，７ｂのいずれかまたは双方に筒を縫いつけ、長袖や長ズボン状にすることもできる。
【００２８】
上記胴巻部２は、左後ろ身頃４と右後ろ身頃５とが、上記ネック部１の後部と左右の後開口７ａ，７ｂ寄りの部分とにおいて、重なる状態で胴の背面部を覆う。この例では、左後ろ身頃４と右後ろ身頃５とが、上記ネック部１から左右の後開口７ａ，７ｂの近傍にかけて、重なる状態で胴の背面部を覆っている。
つまり、上記左後ろ身頃４と右後ろ身頃５は、動物の背中で背骨に沿う領域において重なっている。重なった領域Ｌは、上記ネック部１の直後から動物の臀部近傍に至るように設けられている。上記左後ろ身頃４と右後ろ身頃５の重なりは、この例では左後ろ身頃４が下、右後ろ身頃５が上である。
【００２９】
また、上記左後ろ身頃４は、ネック部１の後部から面ファスナー８にかけての右端縁が、左側に湾曲する弧状に形成されている。上記右後ろ身頃５は、ネック部１の後部から面ファスナー８にかけての左端縁が、右側に湾曲する弧状に形成されている。つまり、上記左後ろ身頃４の右端縁は、ネック部１の右側から臀部側におりるに従って少し左側に湾曲し、面ファスナー８の部分で再び右側にせり出している。上記右後ろ身頃５の左端縁は、ネック部１の左側から臀部側におりるに従って少し右側に湾曲し、面ファスナー８の部分で再び左側にせり出している。
【００３０】
このような構造により、左後ろ身頃４と右後ろ身頃５は、左右の後開口７ａ，７ｂ寄りの部分で確実に胴に巻きついて安定する。しかも、上記面ファスナー８とネック部１の間は、左後ろ身頃４と右後ろ身頃５が重なるだけで自由度を確保できる。このため、着用させる動物に対してサイズに多少の大きい小さいがあったとしても、上記自由度のある部分がそれを吸収する。つまり、多少のサイズ違いがあってもストレスなく着用させることができる。ペットの体格に大小があるときは、面ファスナー８の重ね度合いでフィット状態を調節する。このとき、ネック部１すなわちペットの首後部と面ファスナー８のあいだに弧状に湾曲した縁を設けた重なり部分により、ペットの体格に大小があってもフィット状態を確保できる。体格の大きいペットの場合は、弧状に湾曲した縁の部分に多少の隙間ができる。
【００３１】
つまり、面ファスナー８の左右方向の寸法を確保し、胴まわりの寸法が異なる動物でも、面ファスナー８の重ね具合を調節することにより、ぴったりと胴に巻いて着せることができる。さらに、面ファスナー８とネック部１のあいだは、重なった領域Ｌの幅を小さくすることで、ぴったり着せた動物の動きに衣服が追従しやすく、ごわごわした違和感を動物に与えにくくしている。着用させる動物の体格が大きくなるに従い、上記重なった領域Ｌの幅は小さくなり、重なりがなくなって少し背中が露出することもある。
【００３２】
上記左後ろ身頃４と右後ろ身頃５は、左右の後開口７ａ，７ｂ寄りの部分に配置された面ファスナー８で着脱可能に接合される。この例では、上記面ファスナー８は、ループ面８ａが左後ろ身頃４側に取り付けられ、フック面８ｂが右後ろ身頃５側に取り付けられている。
【００３３】
上記左後ろ身頃４と右後ろ身頃５を、上記面ファスナー８で着脱可能に接合して重ねた状態で、上記左右の後開口７ａ，７ｂに挟まれた領域に、排泄物を通過させる排泄開口９が設けられている。上記排泄開口９は、左後ろ身頃４と右後ろ身頃５と前身頃３の境界部分に形成されている。
【００３４】
図示した例は、メス用の排泄開口９であり、オス用としては、排尿用の排泄開口と排便用の排泄開口を別に設けることができる。
【００３５】
〔実施形態の作用効果〕
上記第１実施形態の動物用衣服は、上記胴巻部２は、左後ろ身頃４と右後ろ身頃５とが、上記ネック部１の後部と左右の後開口７ａ，７ｂ寄りの部分とにおいて、重なる状態で胴の背面部を覆う。
この上記ネック部１の後部において左後ろ身頃４と右後ろ身頃５とが重なるため、動物の肩から背中にかけての部分がフィットし、着用させたときに動物に与える違和感を低減できる。このため、着用を気持ち悪がって脱いでしまうことが少なくなる。また、動物の肩から背中にかけた部分でネック部とパンツの部分がつながっているため、パンツの部分だけが脱げてしまうことがなくなる。したがって、確実に傷を保護できる。また、着用させる動物の体格に多少の大きい小さいがあったときに、ある程度のサイズを許容しながら、できるだけ身体の露出部を少なくすることができる。犬種による体格差があっても、着用時のフィット感がよい。
【００３６】
また、上記左後ろ身頃４と右後ろ身頃５は、左右の後開口７ａ，７ｂ寄りの部分に配置された面ファスナー８で着脱可能に接合される。
このため、左後ろ身頃４と右後ろ身頃５は、左右の後開口７ａ，７ｂ寄りの部分で確実に胴に巻きついて安定する。しかも、上記面ファスナー８とネック部１の間は、左後ろ身頃４と右後ろ身頃５が重なるだけで自由度を確保できる。このため、着用させる動物に対してサイズに多少の大きい小さいがあったとしても、上記自由度のある部分がそれを吸収する。つまり、多少のサイズ違いがあってもストレスなく着用させることができる。
【００３７】
また、上記左後ろ身頃４は、ネック部１の後部から面ファスナー８にかけての右端縁が、左側に湾曲する弧状に形成されている。また、上記右後ろ身頃５は、ネック部１の後部から面ファスナー８にかけての左端縁が、右側に湾曲する弧状に形成されている。
このため、着用させる動物の体格に多少の大きい小さいがあり、上記面ファスナー８でサイズを調節したときに、左後ろ身頃の右端縁と右後ろ身頃の左端縁が浮き上がらず、フィットする。つまり、多少のサイズ違いがあってもストレスなく着用させることができる。
【００３８】
また、上記左後ろ身頃４と右後ろ身頃５を、上記面ファスナー８で着脱可能に接合して重ねた状態で、排泄物を通過させる排泄開口９が設けられている。
このため、この動物用衣服を着用させたままで動物に排泄させることができる。特に、左後ろ身頃４と右後ろ身頃５が、排泄開口９に近い部分で確実に胴に巻きついて安定するため、排泄の際に排泄開口９の近くが汚染しにくい。
【００３９】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【００４０】
たとえば、上述した例ではネック部１をハイネック状としたが、左後ろ身頃４と右後ろ身頃５に合わせて、首後部で分離するようにしてもよい。この場合、ネック部１の首後部で分離した部分に面ファスナーやホック等を設け、ネック部１を動物の首に巻きつけ、左後ろ身頃４と右後ろ身頃５を重ねた状態で接合することが行われる。
【００４１】
上述した例では、左右の前開口６ａ，６ｂと左右の後開口７ａ，７ｂを縁取りで仕上げているが、これに限定するものではない。例えば、左右の前開口６ａ，６ｂと左右の後開口７ａ，７ｂには、それぞれゴム紐を縫いこんで前足後足に対するフィット性を向上させることもできる。また、左右の前開口６ａ，６ｂと左右の後開口７ａ，７ｂのいずれかまたは双方に筒を縫いつけ、長袖や長ズボン状にすることもできる。
【００４２】
上述した例では、左後ろ身頃４と右後ろ身頃５を面ファスナー８を重ねて接合するようにしたが、面ファスナー８以外にホックやボタン、フックなどを用いて左後ろ身頃４と右後ろ身頃５を重ねて接合するようにすることもできる。
【００４３】
上述した例では、左後ろ身頃４と右後ろ身頃５が動物の背骨に沿って重なっている例を示したが、左後ろ身頃４と右後ろ身頃５は、上記ネック部１の後部における大略逆三角形の部分と、左右の後開口寄りの部分（面ファスナー８の部分）で重なっていればよく、それらに挟まれた背中の部分が重なっていない態様も本発明に含める趣旨である。
【００４４】
本発明の動物用衣服は、イヌ、ネコ、ウサギのようなペット用として用いることができるほか、ライオンやトラのように動物園で飼育する動物にも用いることができる。
【符号の説明】
【００４５】
１：ネック部
２：胴巻部
３：前身頃
４：左後ろ身頃
５：右後ろ身頃
６ａ：前開口（左）
６ｂ：前開口（右）
７ａ：後開口（左）
７ｂ：後開口（右）
８：面ファスナー
８ａ：ループ面
８ｂ：フック面
９：排泄開口
【図１】
2020078295.tif 000003
【図２】
2020078295.tif 000004
【図３】
2020078295.tif 000005
【図４】
2020078295.tif 000006
【図５】
2020078295.tif 000007
【図６】
2020078295.tif 000008
【図７】
2020078295.tif 000009
【図８】
2020078295.tif 000010
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
首に装着される環状のネック部と、前足を通す左右の前開口と後ろ足を通す左右の後開口が形成されて胴を覆う胴巻部とを備え、
上記胴巻部は、胴の背面部で着脱可能に互いに接合された左後ろ身頃と右後ろ身頃とを有し、
前記左後ろ身頃と右後ろ身頃は、それぞれ前記ネック部に接合されると共に、前記左右の後開口寄りの部分に配置された面ファスナーで着脱可能に互いに接合され、且つ、前記面ファスナーと前記ネック部との間の領域では互いに接合されていない動物用衣服。
【請求項２】
前記ネック部は、伸縮性を有し、全周で連続した丸首状に形成された請求項１記載の動物用衣服。